(57)【特許請求の範囲】
【請求項１】
建設現場等の敷地に仮設される組立式資材置場であって、前記敷地に設置した据付けベースに、方形をなす底板と、この底板の左右両側縁部の上面に載置され、かつ下端部が、底板に設けた保持手段により左右方向に位置決めして保持された左右１対の側面板と、前記底板の後縁部上面に載置され、かつ下端部が、底板に設けた保持手段により前後方向に位置決めして保持された後面板とを備える、上面と前面が開放された資材収容箱を載置し、前記左右の側面板と前記後面板とが交差する後隅部の内面を、下端が前記底板の後隅部の上面に固着した平面視Ｌ字状をなす左右１対の隅部連結部材に、ねじにより固定したことを特徴とする組立式資材置場。
【請求項２】
左右の側面板の保持手段を、底板の側縁部の上面に上向きとして固着され、各側面板の下端部の内面と当接する保持片と外面に当接する保持片とを備えるものとし、後面板の保持手段を、底板の後縁部の上面に上向きとして固着され、後面板の下端部の内面と当接する保持片と外面に当接する保持片とを備えるものとしてなる請求項１記載の組立式資材置場。
【請求項３】
いずれかの保持片を、側面板の下端部または後面板の下端部にねじ止めしてなる請求項２記載の組立式資材置場。
【請求項４】
据付けベースを、底板の左右両側端より突出する左右寸法の前後複数の支持部材と、互いに隣接する支持部材における左右方向の中央部の対向面同士を連結する連結部材とを備えるものとしてなる請求項１〜３のいずれかに記載の組立式資材置場。
【請求項５】
少なくとも１個の支持部材における底板の両側端より突出する突出部に、上下方向を向く保持体を設け、この左右の支持体に、左右の側面板を、ねじにより固定してなる請求項４記載の組立式資材置場。
【請求項６】
複数の支持部材における底板の両側端より突出する突出部の上面に、底板を左右方向に位置決めする位置決め片を立設してなる請求項４または５記載の組立式資材置場。
【発明の詳細な説明】
【技術分野】
【０００１】
本発明は、例えば砂利や砂等の資材を一時的に保管したり、ビル等の建築物の解体廃材等を分別整理して安全に保管しておくために、建設現場や解体工事現場等の敷地に仮設して使用される組立式資材置場に関する。
【背景技術】
【０００２】
運搬効率や工期の短縮を図ることを目的として、建設現場や解体工事現場等に近い敷地内に、資材置場を設けておき、この資材置場に予め運搬しておいた資材を、必要に応じて小出しして使用しうるようにしたり、建築物の解体廃材等を分別整理して一時的に保管しておくようにすることは、建設業界等においてはよく行われている。
従来は、単に建設現場付近の敷地の一角を資材置場として使用したり、建設現場等に近い敷地の周囲を、組立式の囲い板により囲んで資材置場としたり(例えば特許文献１参照)、敷地に複数の鉄板を敷設して資材置場とするなどしている(例えば特許文献２参照)。
【先行技術文献】
【特許文献】
【０００３】
【特許文献１】特開平６−１３６９６４号公報(図６)
【特許文献２】特開２０００−１７８９１２号公報(図３)
【発明の概要】
【発明が解決しようとする課題】
【０００４】
上記のように、単に敷地を資材置場として使用したり、特許文献１に記載されているように、敷地を囲い板により囲んだだけの資材置場では、資材や解体廃材を敷地に直置きすることとなるため、砂利や砂などの資材の場合、これらの資材をショベルカーなどにより建設現場まで運搬したり、トラック等に積み込んだりする際に、砂利等に土砂などの異物が混入し易く、資材の品質を低下させる恐れがある。
また、砂利や砂等が周囲に散乱するため、資材に無駄が生じ、建設コストが増大する。
【０００５】
上記特許文献２に記載のように、鉄板を敷いて資材置場としたものにおいては、砂利等の資材に土砂などの異物が混入する恐れは小さいが、砂利や砂等は鉄板より滑落し易く、滑落した砂利等が鉄板の囲りに散乱することがあるので、上記と同様、資材に無駄が生じる。
上述のような問題を解消しうる資材置場が求められているが、これまで、建設現場等の敷地に、簡単かつ強固に組み立てて仮設しうる資材置場がなかったのが実情である。
【０００６】
本発明は、上記問題点に鑑みてなされたもので、砂利や砂等の資材であっても、それらの資材に土砂などの異物が混入したり、周囲に散乱したりすることのないように保管することにより、資材の品質の向上とコスト低減が図れるようにし、かつ建設現場等の敷地に、簡単かつ強固に組み立てて仮設しうるようにした組立式資材置場を提供することを目的としている。
【課題を解決するための手段】
【０００７】
本発明によると、上記課題は、次の各項のようにして解決される。
（１）建設現場等の敷地に仮設される組立式資材置場であって、前記敷地に設置した据付けベースに、方形をなす底板と、この底板の左右両側縁部の上面に載置され、かつ下端部が、底板に設けた保持手段により左右方向に位置決めして保持された左右１対の側面板と、前記底板の後縁部上面に載置され、かつ下端部が、底板に設けた保持手段により前後方向に位置決めして保持された後面板とを備える、上面と前面が開放された資材収容箱を載置し、前記左右の側面板と前記後面板とが交差する後隅部の内面を、下端が前記底板の後隅部の上面に固着した平面視Ｌ字状をなす左右１対の隅部連結部材に、ねじにより固定する。
【０００８】
この構成によると、資材収用箱は、底板と、左右の側面板と、後面板とを備えているので、資材置場に砂利や砂等の資材を保管しても、これらの資材に土砂などの異物が混入したり、周囲に散乱したりすることはなく、資材の品質の向上とコスト低減を図ることができる。
また、資材収用箱は、上面と前面が開放されているので、資材の搬出入が容易であり、かつショベルカー等での積み込み作業時に、砂利等の資材が資材収容箱から外側に逃げないので、作業能率が向上して作業時間の短縮が図れることにより、人件費等を削減することができる。
さらに、側面板と後面板の下端部を、底板に設けた保持手段により、それぞれ、左右方向と前後方向に位置決めして保持し、かつ左右の側面板と後面板とが交差する後隅部の内面を、底板の後隅部の上面に固着した平面視Ｌ字状をなす左右１対の隅部連結部材に、ねじにより固定しただけであるので、資材収用箱を簡単に組み立てたり、分解したりすることができる。
しかも、各構成部材を鉄板により製作することにより、各部材が損傷するのが防止され、何回でも繰り返し組み立てて使用しうるので、経済的であり、かつ最終的に処分する際でも、各部材を資源としてリサイクルすることができる。
【０００９】
（２）上記(１)項において、左右の側面板の保持手段を、底板の側縁部の上面に上向きとして固着され、各側面板の下端部の内面と当接する保持片と外面に当接する保持片とを備えるものとし、後面板の保持手段を、底板の後縁部の上面に上向きとして固着され、後面板の下端部の内面と当接する保持片と外面に当接する保持片とを備えるものとする。
【００１０】
この構成によると、保持手段の構造が簡単であり、かつ側面板と後面板とを、各保持片間に上方より嵌合するだけで、それらの下端部が底板により保持されるので、資材収用箱の組立て性がよい。
【００１１】
（３）上記(２)項において、いずれかの保持片を、側面板の下端部または後面板の下端部にねじ止めする。
【００１２】
この構成によると、側面板または後面板の下端部が、保持片を介して底板に強固に固定されるので、資材収用箱の強度がより高まる。
【００１３】
（４）上記(１)〜(３)項のいずれかにおいて、据付けベースを、底板の左右両側端より突出する左右寸法の前後複数の支持部材と、互いに隣接する支持部材における左右方向の中央部の対向面同士を連結する連結部材とを備えるものとする。
【００１４】
この構成によると、支持部材及びその連結部材を増減するだけの簡単な作業で、前後寸法の異なる資材収用箱を載置することができる。
また、据付けベースは組立て式であるので、例えば平板状の１枚の鉄板等を据付けベースとする際に比して、運搬が容易であり、かつ安全に組み立てて設置することができる。
【００１５】
（５）上記(４)項において、少なくとも１個の支持部材における底板の両側端より突出する突出部に、上下方向を向く保持体を設け、この左右の支持体に、左右の側面板を、ねじにより固定する。
【００１６】
この構成によると、左右の側面板と後面板との後隅部を、平面視Ｌ字状をなす隅部連結部材により固定したことと、左右の側面板を、据付けベースに設けた上下方向を向く保持体にねじ止めしたこととの相乗作用により、資材収用箱の組立て強度を大とすることができ、かつ建設現場等の敷地に、強固な資材置場を仮設することができる。
【００１７】
（６）上記(４)または(５)項において、複数の支持部材における底板の両側端より突出する突出部の上面に、底板を左右方向に位置決めする位置決め片を立設する。
【００１８】
この構成によると、資材収容箱を組立てる際、据付けベースの上面に、底板を、左右方向に位置決めして容易に載置しうるとともに、組み立て後の資材収用箱が、据付けベース上において左右方向に位置ずれするのが防止される。
【発明の効果】
【００１９】
本発明によれば、砂利や砂等の資材に土砂などの異物が混入したり、周囲に散乱したりすることのないように保管することができ、資材の品質の向上とコスト低減が図れるとともに、建設現場等の敷地に、資材置場を、簡単かつ強固に組み立てて仮設することができる。
【図面の簡単な説明】
【００２０】
【図１】本発明の組立式資材置場の斜視図である。
【図２】同じく、側面図である。
【図３】図１のＩＩＩ−ＩＩＩ線横断平面図である。
【図４】図３のＩＶ−ＩＶ線縦断正面図である。
【図５】同じく、Ｖ−Ｖ線縦断正面図である。
【図６】据付けベースの平面図である。
【図７】底板の斜視図である。
【発明を実施するための形態】
【００２１】
以下、本発明の実施形態を、図面に基づいて説明する。
図１は、本発明の組立式資材置場の斜視図、図２は、同じく側面図、図３は、図１のＩＩＩ−ＩＩＩ線横断平面図、図４は、図３のＩＶ−ＩＶ線縦断正面図、図５は、同じくＶ−Ｖ線縦断正面図である。
【００２２】
図１〜図５に示すように、本発明の組立式資材置場は、建設現場等に近い敷地に設置される金属製の据付けベース１と、この据付けベース１の上面に載置された、上面と前面(以下、図１の斜め左手前、及び図３の左方を前として説明する)が開放された金属製の資材収容箱２とからなっている。
【００２３】
据付けベース１は、平面図である図６にも示すように、互いに平行をなすように前後方向に所定間隔おきに配置された左右方向に長い４個の支持部材３ａ〜３ｄと、互いに隣接する支持部材３ａ〜３ｄにおける中央部の対向面同士を連結している前後方向を向く３個の連結部材４とを備えている。各支持部材３ａ〜３ｄの長さは、資材収用箱２の左右両面から若干突出する寸法とされ、かつ前から第２番目の支持部材３ｂのみ、後記する左右の側面板１３より外側方に突出するように、他の３個の支持部材３ａ、３ｃ、３ｄよりも所要寸法長寸としてある。
【００２４】
各支持部材３ａ〜３ｄは、帯板状の基板５と、その上面中央に溶接された、前後幅が基板５のそれよりも若干狭幅をなす側面視下向きコ字状の箱受支板６とからなっている。
【００２５】
３個の支持部材３ａ、３ｃ、３ｄにおける各箱受支板６の左右両端部の上面には、資材収容箱２における後記する底板１２の左右両側面と近接または当接することにより、底板１２を左右方向に位置決めするための正面視外向きＬ字状の位置決め片７が、溶接により固着されている。
【００２６】
長寸とされた支持部材３ｂにおける箱受支板６の左右両端部の上面には、資材収容箱２の左右両側面、すなわち後記する左右の側面板１３の外側面を保持する金属製の収容箱保持体８、８が固着されている。
【００２７】
両収容箱保持体８は、下端が箱受支板６の前後両端部の上面に溶接された、上下寸法が資材収容箱２のそれよりも若干短寸の平面視外向きコ字状をなす垂直保持板８ａと、上端部が垂直保持板８ａにおける前後の外側面の上端部に、かつ下端が箱受支板６の左右の両端部上面にそれぞれ溶接された、斜め上下方向を向く内向きコ字状の補強板８ｂと、垂直保持板８ａと補強板８ｂとの中間部の対向面同士を連結する前後１対の連結片８ｃ、８ｃとからなっている。
【００２８】
両収容箱保持体８における垂直保持板８ａの内側面の下端部は、後記する底板１２の両側面と近接または当接することにより、上記位置決め片７と共に、底板１２を左右方向に位置決めしうるようになっている。
左右の垂直保持板８ａの内側面の上下部には、後記する側面板１３の外側面に当接する当接部材９、９が固着されている。
【００２９】
各連結部材４は、前後方向を向く基板４ａと、その上面に溶接された、前後寸法及び左右幅が基板４ａのそれよりも若干短寸をなす正面視下向きコ字状の箱受支板４ｂとからなり、各連結部材４と上記の各支持部材３ａ〜３ｄの上下寸法は等しくしてある。なお、各支持部材３ａ〜３ｄと連結部材４の重心位置には、それらをクレーン等の重機により吊り下げて運搬したり、水平に吊り下げて組み立て作業を容易に行うための吊支具(図示略)を取付可能なめねじ孔１０が設けられている。
【００３０】
支持部材３ａ〜３ｄにおける箱受支板６の対向面の中央部には、平面視Ｌ字状をなす左右１対ずつの保持片１１、１１が溶接され、それらの前後方向を向いて互いに対向する突片１１ａ、１１ａ間に、各連結部材４における箱受支板４ｂの両端部を圧嵌して、各支持部材３ａ〜３ｄ同士を連結することにより、据付けベース１が組立てられている。なお、各突片１１ａと箱受支板４ｂとを、圧嵌によらずにねじにより固定することもある。
【００３１】
資材収用箱２は、据付けベース１の前後寸法よりも長い左右２枚よりなる底板１２、１２と、前後寸法が底板１２のそれとほぼ等しい左右の側面板１３、１３と、上下寸法が側面板１３のそれと等しく、かつ左右寸法が２枚の底板１２を合わせた左右寸法よりも若干短寸の後面板１４とを備え、それらは、所要厚さの鉄板により形成されている。
【００３２】
図７にも示すように、左右の底板１２、１２における外側の後隅部の上面には、底板１２の側縁よりもやや内方においてそれと平行をなす垂直の側片１５ａと、底板１２の後縁よりもやや前方においてそれと平行をなす垂直の後片１５ｂとからなる平面視Ｌ字状の隅部連結部材１５、１５が、側片１５ａと後片１５ｂの下端を底板１２の上面に溶接することにより、底板１２の隅部の外縁よりも若干内方に位置するようにして固着されている。
側片１５ａと後片１５ｂとの上下部には、それぞれ、前後及び左右２個ずつのボルト挿通孔１６が形成されている。
【００３３】
側片１５ａと後片１５ｂ同士は、それらの内面に溶接された平面視三角形をなす上下２枚の補強片１７、１７により補強されている。なお、隅部連結部材１５の上下寸法は、資材収用箱２の高さよりも若干小とされている。
【００３４】
左右の底板１２、１２の外側端部の上面には、左右の側面板１３、１３の下端部を左右方向に位置決めして保持するための正面視Ｌ字状をなす前後複数(本実施形態では４個)のアングル材１８が、底板１２の外側縁よりも若干内方に位置するようにして、溶接により固着されている。
【００３５】
また、各底板１２、１２における後端部の内方の隅部付近の上面にも、後面板１４を前後方向に位置決めして保持するための側面視Ｌ字状をなすアングル材１８、１８が、底板１２の後縁よりも若干前方に位置するようにして、溶接により固着されている。各アングル材１８の上方を向く保持片１８ａには、ボルト挿通孔１９が設けられている。
【００３６】
さらに、各底板１２、１２の外側縁部の上面には、側面板１３の下端部を左右方向に位置決めして保持するための３個の上下方向を向く保持片２０の下端が、アングル材１８の保持片１８ａとの間に側面板１３の下端部を保持可能な隙間が形成されるようにして、溶接により固着されている。２個の保持片２０、２０は、それぞれ前後に隣接するアングル材１８の間に位置するように固着され、また、最後部の左右の保持片２０、２０は、後面板１４を左右方向に位置決めする位置決め片を兼ねるように、底板１２の後端部に固着されている。
【００３７】
底板１２、１２の後縁部における左右方向の中央部上面にも、後面板１４の下端部を前後方向に位置決めして保持するための保持片２０、２０の下端が、後部のアングル材１８の保持片１８ａとの間に後面板１４の下端部を保持可能な隙間が形成されるようにして、溶接により固着されている。なお、底板１２の後縁部の保持片２０の上下寸法は、後面板１４の組立て時の転倒を防止しうるように、側縁部に設けた保持片２０の上下寸法よりも大としてある。
【００３８】
次に、資材置場の組立て要領について説明する。
まず、平坦に地ならしした建設現場等の敷地に、据付けベース１を、上述した要領で組み立てて敷設する。
【００３９】
ついで、据付けベース１の上面に、左右の底板１２、１２を、支持部材３ａ、３ｃ、３ｄの上面に設けた左右の位置決め片７と、左右の収容箱保持体８における垂直保持板８ａとにより左右方向に位置決めしながら、各底板１２の前後の端部が据付けベース１の前後両端よりほぼ均等に突出するように載置する。この際の作業を容易とするために、各底板１２の重心位置には、底板１２をクレーン等により水平に吊り下げるための吊支具(図示略)が螺合されるめねじ孔２１を設けてある。なお、底板１２の載置後においては、めねじ孔２１を、砂利等の資材が落下しないように、ボルト等により塞いでおくのが好ましい。
【００４０】
底板１２、１２を載置したのち、それらの前端部下面の対向部に固着した正面視倒立Ｌ字状の連結部材２２、２２の垂下片２２ａ同士を、ボルト２３とナット２４により締め付けて固定し、両底板１２が左右方向に離れるのを防止する(図３参照)。
【００４１】
ついで、後面板１４を、その上端部の左右方向の中央部に設けた吊り孔２５を利用して、クレーン等により吊り下げながら、左右の底板１２、１２の後端部上面に載置する。この際、後面板１４の下端部を、左右の底板１２、１２の後端部上面に設けた左右のアングル材１８の保持片１８ａと、その外側の保持片２０との間に上方より嵌合して保持し、前後方向の動きを規制するとともに、両底板１２の後側端部に設けた左右の保持片２０、２０により、左右方向に位置決めする。
【００４２】
ついで、図３に示すように、後面板１４の両側部の上下部を、底板１２に予め固着しておいた左右の隅部連結部材１５、１５の後片１５ｂに、ボルト２３とナット２４により固定するとともに、後面板１４の下端部の中央部を、左右のアングル材１８、１８の保持片１８ａに、ボルト２３とナット２４により固定する。
後面板１４は、前後左右方向の位置決めがなされ、かつ保持片２０により後方に転倒するのが防止されているので、隅部連結部材１５への固定作業を容易に、かつ安全に行うことができる。
【００４３】
ついで、左右の側面板１３、１３を、片方ずつ、その上端部の前後方向の中央部に設けた吊り孔２５を利用して、クレーン等により吊り下げながら、底板１２の側端部上面に載置する。この際、側面板１３の後端を後面板１４の側端部の前面に当接させて位置決めしつつ、収容箱保持体８と隅部連結部材１５との間に挟入し、それらの垂直保持板８ａの内側面と隅部連結部材１５の側片１５ａの外側面とにより、側面板１３の両側面を保持するとともに、側面板１３の下端部を、底板１２の側端部上面に設けた前後複数のアングル材１８の保持片１８ａと保持片２０との間に上方より嵌合して保持し、左右方向の動きを規制する。
【００４４】
ついで、側面板１３の後端部と中央部と下端部とを、それぞれ、隅部連結部材１５の側片１５ａと、収容箱保持体８の垂直保持板８ａと、前後複数のアングル材１８の保持片１８ａとに、複数のボルト２３とナット２４により固定する。
この際、側面板１３は、収容箱保持体８の垂直保持板８ａと隅連結部材１５の側片１５ａとにより保持されて、転倒するのが防止され、かつ下端部も、複数のアングル材１８の保持片１８ａと外側の保持片２０とにより保持されているので、収容箱保持体８、隅部連結部材１５、及び保持片１８ａへのねじ止め作業を容易に、かつ安全に行うことができる。
【００４５】
以上説明したように、上記実施形態の資材置場は、組立て容易であるので、建設現場等の敷地に簡単に仮設して、砂利や砂等の資材を保管することができる。
【００４６】
また、資材収用箱２は、底板１２と、左右の側面板１３、１３と、後面板１４とを有しているので、砂利等の資材に土砂などの異物が混入したり、周囲に散乱したりすることはなく、資材の品質の向上とコスト低減を図ることができる。
【００４７】
さらに、資材収用箱２は、前方と上方が開放されているので、ダンプカー等による砂利等の資材の搬入や、ショベルカーなどによる資材の搬出も容易である。
【００４８】
資材収用箱２における側面板１３と後面板１４の後部の隅部は、下端が底板１２に溶接された上下方向の隅部連結部材１５に固定され、また、左右の側面板１３の外側面の中間部は、上下方向の収容箱保持体８にねじ止めされ、さらに、側面板１３と後面板１４の下端部は、複数のアングル材１８の保持片１８ａにねじ止めされているので、資材収用箱２の組立て強度が大きく、大量の資材を収容しても、外開き状に変形する恐れはない。
【００４９】
資材収用箱２の底板１２は、据付けベース１における前後複数の支持部材３ａ〜３ｄに掛け渡すようにして載置されているので、地面に直接敷設する際に比して、ゆがみが少なく、平らに敷設することができる。
【００５０】
なお、上記実施形態においては、底板１２の上面の後隅部に、隅部連結部材１５、１５の下端を溶接により固着したものとしてあるが、設置現場において、ボルトとナットにより固定するようにしてもよい。この際には、隅部連結部材１５の下端に水平の固定板を固着し、この固定板を、底板１２の上面にボルトとナットにより固定するようにすればよい。
【００５１】
また、上記実施形態では、底板１２を左右２枚よりなるものとしてあるが、資材収用箱２の大きさに応じて、１枚または２枚以上とすることもある。
【００５２】
さらに、上記実施形態では、側面板１３と後面板１４の下端部を、アングル材１８側の保持片１８ａに、ボルト２３とナット２４により固定しているが、側面板１３と後面板１４の下端部を、外側の保持片２０にも、ボルト２３とナット２４をもって固定してもよい。
【００５３】
側面板１３と後面板１４の下端部を位置決めする保持片１８ａを有するアングル材１８と、保持片２０とを、前後方向及び左右方向に長いものとすることもある。
【００５４】
側面板１３の前後寸法が長寸であるときには、収容箱保持体８を、前後複数設けてもよい。
資材の盗難防止のために、左右の側面板１２の前端に、錠付きの開閉扉を取付けることもある。
【符号の説明】
【００５５】
１  据付けベース
２  資材収用箱
３ａ〜３ｄ支持部材
４  連結部材
４ａ基板
４ｂ箱受支板
５  基板
６  箱受支板
７  位置決め片
８  収容箱保持体
８ａ垂直保持板
８ｂ補強板
８ｃ連結片
９  当接部材
１０  めねじ孔
１１  保持片
１１ａ突片
１２  底板
１３  側面板
１４  後面板
１５  隅部連結部材
１５ａ側片
１５ｂ後片
１６  ボルト挿通孔
１７  補強片
１８  アングル材
１８ａ保持片
１９  ボルト挿通孔
２０  保持片
２１  めねじ孔
２２  連結部材
２２ａ垂下片
２３  ボルト
２４  ナット
２５  吊り孔
【図１】
0005491302.tif 000002
【図２】
0005491302.tif 000003
【図３】
0005491302.tif 000004
【図４】
0005491302.tif 000005
【図５】
0005491302.tif 000006
【図６】
0005491302.tif 000007
【図７】
0005491302.tif 000008